(57)【要約】      （修正有）【課題】長い搬送区間での搬送を、一部材として製造され得るのではなく、互いに結合された個々のガイド要素で構成され、騒音及び摩耗の少ない動作を保証することが出来る搬送装置を提供する。【解決手段】搬送装を、複数のフランジ部３１０，３２０を介して互いに結合された複数のガイド通路部分２００で構成し、ガイド通路部分及びフランジ部の内部空間に複数のガイドレール要素を配置し、すべり面要素５１０が、ガイド部分通路及びこれに属する前記フランジ部に沿って少なくとも１つの手段を補充されており、及び／又は少なくとも１つの処置手段を備え、処置手段は、少なくとも１つのすべり面要素に該当するガイド通路部分の長さに対して過剰長さを設けることに本質があり、移行部材としての少なくとも１つのアダプタ要素６１０，６２０が、前記手段として、少なくとも隣接したフランジ部の間の分離面の範囲において設けている。【選択図】図７
2014234313.tif 000002
【特許請求の範囲】
【請求項１】
搬送区間に沿って印刷製品を搬送するための搬送部材の使用のための搬送装置であって、当該搬送装置が、複数のフランジ部（３１０，３２０）を介して互いに結合された複数のガイド通路部分（２００）で構成されており、該ガイド通路部分が、トンネル状に形成されているとともにローラが走行可能な前記搬送部材に対して下側の複数の手段のための貫通した開口部を備えており、直接的及び／又は間接的な当該搬送装置に沿った印刷製品の搬送を担うものであり、前記ガイド通路部分及び前記フランジ部の内部空間には複数のガイドレール要素（４０２〜４０９；４０２’〜４０９’）が配置されており、これらガイドレール要素が前記搬送部材のための複数のすべり面要素（５１０，５２０）を支持し、該すべり面要素が、ガイド部分通路及びこれに属する前記フランジ部に沿って少なくとも１つの手段を補充されており、及び／又は少なくとも１つの処置手段を備え、前記搬送部材としての役割を果たす前記すべり面要素の転がり表面の連続的で平面状の移行部を形成し、前記処置手段は、少なくとも１つのすべり面要素に該当する前記ガイド通路部分の長さに対して過剰長さを設けることに本質があり、移行部材としての少なくとも１つのアダプタ要素（６１０，６２０）が、前記手段として、少なくとも隣接した前記フランジ部の間の分離面の範囲において設けられている、前記搬送装置。
【請求項２】
前記ガイド通路部分の少なくとも壁側に前記ガイドレール要素が配置されていることを特徴とする請求項１記載の搬送装置。
【請求項３】
前記すべり面要素が、少なくとも嵌合式に前記ガイドレール要素に連結されていることを特徴とする請求項２記載の搬送装置。
【請求項４】
前記ガイド通路部分に属する前記すべり面要素の過剰長さが、前記ガイド通路部分を越えて突出した前記すべり面要素の部分が少なくとも部分的に連続した途切れのない延長部を連結された前記フランジ部の内部におけるその転がり表面に形成するよう、前記ガイド通路部分の少なくとも１つの端部を越えて延在していることを特徴とする請求項１記載の搬送装置。
【請求項５】
前記ガイド通路部分に属する前記すべり面要素の過剰長さが、前記ガイド通路部分の両端部を越えて延在しているとともに、前記ガイド通路部分の両側における過剰長さが少なくとも部分的に連結された前記フランジ部の内部における前記すべり面要素の前記転がり表面の連続した途切れのない延長部が形成されることを表していることを特徴とする請求項１記載の搬送装置。
【請求項６】
前記ガイド通路部分に属する前記すべり面要素の過剰長さが、少なくとも、前記ガイド通路部分に連結された前記フランジ部の内部における当接箇所まで延在していること、及び前記当接箇所から前記フランジ部の端部まで移行区間が形成されていることを特徴とする請求項１〜５のいずれか１項又は複数に記載の搬送装置。
【請求項７】
過剰長さが、区間部分に対する追加的な過剰部を連結された前記フランジ部において備えていることを特徴とする請求項１〜６のいずれか１項に記載の搬送装置。
【請求項８】
前記移行区間が、前記当接箇所から離れて、前記すべり面要素によって形成された転がり表面の他の連続した平面状の延長部を形成するアダプタ要素に備え付けられていることを特徴とする請求項１〜７のいずれか１項又は複数に記載の搬送装置。
【請求項９】
前記アダプタ要素が隣接した２つのフランジ部を包含していること、及び前記アダプタ要素が、すべり面要素によって形成された、前記フランジ部における一方から他方への当接箇所への転がり表面の平面状で連続した延長部を形成していることを特徴とする請求項１〜８のいずれか１項又は複数に記載の搬送装置。
【請求項１０】
前記各フランジ部に対して１つのアダプタ要素が設けられていること、及び隣接する複数のアダプタ要素が、隣接する前記フランジ部の分離面において重なり合って当接するか、又は互いの中へ交互に移行することを特徴とする請求項９記載の搬送装置。
【請求項１１】
前記アダプタ要素がその当接箇所において鏡像的に互いに設けられた面取り部によって形成されており、この面取り部が、前記分離面に対して直線的又は斜めに形成されていることを特徴とする請求項１〜１０のいずれか１項に記載の搬送装置。
【請求項１２】
前記アダプタ要素が、前記搬送部材のすべり方向へ並列された少なくとも２つの移行部材（６１１，６２１）で構成されており、該移行部材が、作用連結において互いへ統合して前記両フランジ部の前記移行区間を前記フランジ部においてガイドされるすべり面要素の前記各当接箇所まで包含することを特徴とする請求項１〜１１のいずれか１項に記載の搬送装置。
【請求項１３】
前記各移行部材が前記フランジ部に作用連結していることを特徴とする請求項１２記載の搬送装置。
【請求項１４】
前記各移行部材が連結された前記フランジの前記分離面を越えて延在していることを特徴とする請求項１２及び／又は１３記載の搬送装置。
【請求項１５】
並列した２つの前記移行部材が、前記すべり面要素のすべり面の幅にほぼ相当するすべり面の幅を有していることを特徴とする請求項１４〜１６のいずれか１項に記載の搬送装置。
【請求項１６】
並列された前記移行部材がそれぞれ１つの端部側の面取り部（６１３）を備えており、該面取り部が、前記搬送部材のすべり方向において左右逆かつ逆向きに配置されていることを特徴とする請求項１２〜１５のいずれか１項に記載の搬送装置。
【請求項１７】
前記面取り部が、前記移行部材の長さの少なくとも一部分を包含していることを特徴とする請求項１２〜１６のいずれか１項に記載の搬送装置。
【請求項１８】
前記アダプタ要素又は少なくとも１つの移行部材が、本質的にＴ字状の端面形状（６１４）を備えていること、及び該Ｔ字状の断面形状の上側のプレートに対して本質的に直角に延在する少なくとも１つのウェブ（６１５）が内側へ向いた少なくとも１つの段部（６１６）を備えていることを特徴とする請求項１〜１７のいずれか１項に記載の搬送装置。
【請求項１９】
搬送区間に沿って印刷製品を搬送するための搬送部材の使用のための搬送装置であって、当該搬送装置が、複数のフランジ部を介して互いに結合された複数のガイド通路部分で構成されており、該ガイド通路部分が、トンネル状に形成されているとともにローラが走行可能な前記搬送部材に対して下側の複数の手段のための貫通した開口部を備えており、直接的及び／又は間接的な当該搬送装置に沿った印刷製品の搬送を担うものであり、前記ガイド通路部分及び前記フランジ部の内部空間には複数のガイドレール要素が配置されており、これらガイドレール要素が前記搬送部材のための複数のすべり面要素を支持し、該すべり面要素が、ガイド部分通路及びこれに属する前記フランジ部に沿って少なくとも１つの手段を補充されており、及び／又は少なくとも１つの措置手段を備え、前記搬送部材としての役割を果たす前記すべり面要素の転がり表面の連続的で平面状の移行部を形成し、前記処置手段は、前記ガイド通路部分に対する前記すべり面要素の過剰長さを該過剰長さが連結された少なくとも１つのフランジ部の幅に相当するか又はほぼ相当し、前記すべり面要素の端面側が前記フランジ部の分離面の範囲において少なくとも１つの面取り部を有するよう規定されていることに本質がある、前記搬送装置。
【請求項２０】
前記すべり面要素の全体過剰長さが追加的な過剰部を備えていることを特徴とする請求項１９記載の搬送装置。
【請求項２１】
搬送区間に沿って印刷製品を搬送するための搬送部材の使用のための搬送装置であって、当該搬送装置が、複数のフランジ部を介して互いに結合された複数のガイド通路部分で構成されており、該ガイド通路部分が、トンネル状に形成されているとともにローラが走行可能な前記搬送部材に対して下側の複数の手段のための貫通した開口部を備えており、直接的及び／又は間接的な当該搬送装置に沿った印刷製品の搬送を担うものであり、前記ガイド通路部分及び前記フランジ部の内部空間には複数のガイドレール要素が配置されており、これらガイドレール要素が前記搬送部材のための複数のすべり面要素を支持し、該すべり面要素が、ガイド部分通路及びこれに属する前記フランジ部に沿って少なくとも１つの手段を補充されており、及び／又は少なくとも１つの措置手段を備え、前記搬送部材としての役割を果たす前記すべり面要素の転がり表面の連続的で平面状の移行部を形成し、前記処置手段は、前記すべり面要素の長さが前記ガイド通路部分及び前記フランジ部の各長さに個々に設定されていることに本質があり、個々に連結された前記ガイド通路部分の分離面の範囲における前記すべり面要素の端面側及び前記フランジ部が少なくとも１つの面取り部を備えている、前記搬送装置。
【請求項２２】
個々の前記すべり面要素の長さが過剰部を備えていることを特徴とする請求項２１記載の搬送装置。
【請求項２３】
当接する前記フランジ部が、前記すべり面要素、互いに向いた前記アダプタ要素又は連結された前記すべり面要素に対して互いに逆に向いた前記アダプタ要素の前記当接箇所において連続的で平面状の転がり表面の移行部が確保されるように前記分離面において互いに対して心合わせされていることを特徴とする請求項１〜２２のいずれか１項に記載の搬送装置。
【請求項２４】
互いに対向して離間された、第１のすべり面要素及び第２のすべり面要素のための２つの支持範囲が前記ガイド通路部分の壁側に配置されていること、同様に対向して配置されつつ離間した第３のすべり面要素及び第４のすべり面要素のための２つの支持範囲が対向する壁部に存在すること、それぞれ壁側の各支持範囲に隣接して、第５及びこれに対向する第６並びに第７及び第８のすべり面要素のための他の支持範囲が配置されており、これらのすべり面がそれぞれ隣接したすべり面要素に対して直角に配置されていること、及び第２のすべり面要素を有する第１のすべり面要素、第４のすべり面要素を有する第３のすべり面要素、第６のすべり面要素を有する第５のすべり面要素及び第８のすべり面要素を有する第７のすべり面要素が対で互いに対向し、かつ、離間して配置されていることを特徴とする請求項１〜２３のいずれか１項又は複数に記載の搬送装置。
【請求項２５】
前記搬送部材が本質的に互いに連結された機能ユニットの数から成ること、１つの機能ユニットが、搬送区間に沿って本質的にシーケンシャルに配置された少なくとも２つのチェーンリンクから成ること、該チェーンリンクが互いに対して強固な及び／又は弾力性のある結合を形成していること、前記機能ユニットが、機能的に異なり、かつ、互いに作用連結している第１のチェーンリンク及び第２のチェーンリンクから成ること、搬送部材の形成のためのシーケンスにおける前記機能ユニットが一致若しくはほぼ一致するか、又はその機能性に類似して若しくは基づいて異なるように構成されていること、及び前記機能ユニットが、互いに複数の手段、又は取外し可能若しくは嵌合によって制限された取外し可能な、及び／若しくは取外し不能な結合部のための結合要素を備えていることを特徴とする請求項１〜２４のいずれか１項又は複数に記載の搬送装置の動作のための搬送部材。
【発明の詳細な説明】
【技術分野】
【０００１】
本発明は、搬送区間に沿って印刷製品を搬送するための搬送部材の使用のための搬送装置に関するものである。この搬送装置は、複数のフランジ部を介して互いに結合された複数のガイド通路部分で構成されており、該ガイド通路部分は、トンネル状に形成されているとともにローラが走行可能な前記搬送部材に対して下側の複数の手段のための貫通した開口部を備えており、直接的及び／又は間接的な当該搬送装置に沿った印刷製品の搬送を担うものである。ガイド通路部分及びフランジ部の内部空間には複数のガイドレール要素が配置されており、これらガイドレール要素が前記搬送部材のための複数のすべり面要素を支持する。
【背景技術】
【０００２】
特許文献１によれば、関連する複数のガイド部分が設備内において両端部で外側フランジ部を備えている。この外側フランジ部は、この外側フランジ部をぴったりと適合して、かつ、実際に誤差なく隣接するガイド部分又は作業ステーションの外側フランジ部に結合するために、心合わせ要素を備えている。さらに、設備内における製造時には、ガイド部分及び両外側フランジ部で形成された通路部分のすべり面の両端部が心合わせに関してあらかじめ設定された位置に正確に位置することが保証される。このような形態においては、現場での取付時に、連続した、すなわち誤差の少ない段差がなくかつ折れ曲がりのない、通路部分から隣接するできる限り小さな取付壁部への当接箇所におけるすべり面の移行部が確保されることが保証される。
【０００３】
ここで、「輪郭材料を有するガイド通路（１０）から成るガイド部分（２０）と、前記ガイド通路（１０）において支持され、搬送方向（Ｆ）へ駆動される搬送部材（５２）とを備え、該搬送部材の滑走輪（５４）がすべり面（５６）と協働する搬送装置において、前記ガイド部分（２０）において両側でそれぞれ１つの外側フランジ部（１６）が固定して配置されており、これら外側フランジ部（１６）が、複数の心合わせ手段（２４）を備えているとともに、該心合わせ手段（２４）を介して他のガイド部分の外側フランジ部（１６）又は作業ステーション（１８）にぴったりと適合して結合されており、前記すべり面（５６）が、当接箇所において前記すべり面の連続した移行部を確保するために、割り当てられた前記心合わせ手段（２４）に関してあらかじめ設定された正確な位置に位置していることを特徴とする搬送装置」が保護される。
【０００４】
したがって、この文献は、ここでも外側フランジ部１６から他の外側フランジあるいは作業ステーション１８への当接箇所におけるすべり面５６及びガイド面５０の隙間及び段部のない、連続した移行部を確保するために、心合わせ手段２４に関連したすべり面５６及び場合によってはガイド面５０が正確に規定された、あらかじめ設定された位置を有することを提案している。この位置の許容差は、好ましくは０．０２ｍｍ以下、特に０．０１ｍｍ以下である。これを達成するために、例えば外側フランジ部１６は、該当する範囲において設備側でスライド可能となっている（段落００３７）。
【０００５】
ここでも、ガイド部分２０から外側フランジ１６へのガイド面５０及びすべり面５６の範囲における段差のない連続した移行部が設備側でのスライド又は他の処理によって達成される（段落００４０）。
【０００６】
この採用されたはめあい精度により、明らかに本来全ての観点で達成されない。なぜなら、明細書には、この実施形態においては設備側で（段落００４０も参照）外側フランジ１６のガイド部分２０との例えばすべりによる固結の後に、ガイド面５０及びすべり面５６がガイド部分２０において外側フランジ１６の心合わせ手段２４に関して正確に規定された位置を占めることが保証されることが説明されているためである。さらに、当接平面７８も好ましくは加工されており、その結果、ガイド部分２０の端部２２が正確に外側フランジ１６によって規定された当接平面７８内に位置している（段落００４２）。
【０００７】
特許文献２にはガイド装置が開示されており、このガイド装置においては、係止式の係合によって位置的に正確に互いに結合され得る複数の結合要素が存在している。このとき、これら結合要素のガイド要素における固定は設備側でなされ、その結果、ガイド要素及び結合要素から成るアセンブリが、標準要素によって、ほぼ直線状に延在するガイド要素、弓状に延在するガイド要素及び結合要素のように、あらかじめ組み立てられることが可能である。このとき、設備側での予備組立時には、ガイド要素から結合要素への滑らかな移行部が保証され得る。取付箇所においては、通路部分とも呼ばれるこのようにあらかじめ組み立てられたアセンブリが互いに対向する端側の、搬送区間に対してほぼ垂直に延在するこの結合要素の接触面の範囲において互いに係止式に結合され得る。このとき、対応するガイド要素とは逆向きの接触面の係止式の結合により、あらかじめ組み立てられたアセンブリの互いに対する自己調心がなされる。この自己調心により、搬送チェーンのガイドの役割を果たす個々のアセンブリのガイド面間での滑らかな移行部が保証される。このとき、この文献の範囲内では、特に、ガイド要素及び結合要素の提供によって引き起こされる追加コストがこれにより得られる取付箇所における取付の容易化を考慮して容易に甘受され得ることが認識された。なぜなら、この取付の容易化は、最終取付時間の大幅な短縮に結びつくためである。
【０００８】
端面側の接触面の範囲における係止式の結合は、１つの接触面が少なくとも１つの突出部を備え、他の接触面が少なくとも１つの前記突出部を係止式に収容するこのために形成された相補的なくぼみ部及び／又は凹部を備えている場合に達成され得る。このとき、複数の結合部は、通常、ガイド要素に対応した本質的に平面状の境界面及びこの境界面に対してほぼ平行に延在する接触面を備えており、接触面の突出部が搬送区間に沿ってガイド要素に対向する境界面に対してほぼ逆の方向へ延在している一方、凹部は、ガイド要素に対向する境界面の方向へ延在している。
【０００９】
まとめると、以下のことがいえる：適切なガイド装置を利用した好ましくは無端状に循環する搬送区間に沿って案内される搬送チェーンを有する複数の搬送装置は、例えば差し込み機械、あて名印刷装置、接着装置などである個々の処理ステーションの間の印刷製品の搬送のために使用される。このとき、印刷製品は、通常、チェーンリンクに取り付けられた把持部材あるいは挟持部材によって保持されるとともに、場合によっては処理ステーションにおいて把持部材から解放される。連続した動作の保証のために、搬送チェーンが、通常は、無端状に循環しつつ、ガイド装置によって規定された搬送区間に沿って駆動される。通常、搬送区間は直線状及び弓状の部分又は通路部分を備えており、弓状の部分は、水平面内、垂直面内又は上方若しくは下方へ斜めに延在する平面内に配置され得る。相応して、搬送装置も直線状かつ弓状のガイド通路部分を備える必要があり、このガイド通路部分によって搬送区間の弓状部が規定される。
【００１０】
搬送区間は、１００ｍ又はこれより長い長さにわたって延在し得るとともに、このとき、生産空間全体を水平方向及び垂直方向へ通ることが可能である。そのため、搬送区間の規定の役割を果たす搬送装置は、一部材として製造され得るのではなく、適切な手段によって互いに結合された個々のガイド要素で構成される必要がある。対応するガイド装置は、例えば特許文献３〜７に記載されている。
【００１１】
公知のガイド装置の取付時には、通常、個々のガイド要素が、端面側で共に案内され、ガイド要素の側壁部に係合する挟持装置によって互いに固結される。
【００１２】
個々のガイド通路部分の取付時には、騒音及び摩耗の少ない動作を保証するために、分離面におけるすべり面要素のガイドのためのガイド通路部分及びフランジ部は、面一かつ段差部なしに互いの中へ移行することに配慮する必要がある。多くの場合には、分離面における移行部が例えば調整する研磨処理によって再加工される。しかし、このような追加的な加工の後、多くの場合には、搬送チェーンの動作が搬送装置に沿って騒然とし、かつ、騒々しい状態にあることが認められる。
【先行技術文献】
【特許文献】
【００１３】
【特許文献１】スイス国特許第７０１８５５号明細書
【特許文献２】国際公開第２０１１／０６０５６０号
【特許文献３】国際公開第９９／３３７３１号
【特許文献４】欧州特許出願公開第１０２９８１５号明細書
【特許文献５】国際公開第９９／３３７２２号
【特許文献６】国際公開第９９／３３７３２号
【特許文献７】国際公開第９９／３３７３０号
【特許文献８】米国特許出願公開第２０１３／０００１０５１号明細書
【発明の概要】
【発明が解決しようとする課題】
【００１４】
ここで、本発明は、困難を除去しようとするものである。当該発明が請求項に示されているように、本発明の課題は、従来技術に属する装置の欠点を除去することが可能な搬送装置を提案することを基礎とするものである。さらに、本発明の課題は、従来技術について公知となった搬送部材の動作に使用可能な搬送装置を提供することでもある。
【００１５】
それゆえ、本発明による搬送装置は、上記課題に基づき、特別に形成された搬送部材のみに限定されるものではない。
【００１６】
本発明の他の課題は、動作について騒音が少なく、摩耗が最小化された搬送装置を提供することにある。
【課題を解決するための手段】
【００１７】
このとき、搬送区間に沿って印刷製品を搬送するための搬送部材の使用のための搬送装置は、複数のフランジ部を介して互いに結合された複数のガイド通路部分で構成されている。これらガイド通路部分は、搬送装置内においてトンネル状に形成されているとともにローラが走行可能な前記搬送部材に対して下側の複数の手段のための貫通した開口部を備えており、直接的及び／又は間接的な搬送装置に沿った印刷製品の搬送を担うものである。ガイド通路部分及びフランジ部の内部空間には複数のガイドレール要素が配置されており、これらガイドレール要素は、搬送部材のための複数のすべり面要素を支持している。これらすべり面要素は、ガイド部分通路及びこれに属する前記フランジ部を介して少なくとも１つの手段を補充されており、及び／又は少なくとも１つの処置手段を備え、すべり面要素の当接箇所において搬送部材としての役割を果たす転がり表面の連続的で平面状の移行部を保証するものである。
【００１８】
本発明によれば、上記処置手段は、ガイド通路部分に属する、該当するガイド通路部分の長さに対する過剰長さを有するすべり面要素が形成されていること、及び上記手段として、少なくとも、ガイド通路部分とフランジ部の間及び／又は隣接したフランジ部の間の分離面の範囲に移行部材として少なくとも１つのアダプタ要素が設けられていることに本質がある。
【００１９】
ガイドレール要素は、少なくとも壁側で、及びガイド通路部分の長手方向において配置されているとともに、すべり面要素の収容のための支持範囲を備えている。このとき、少なくとも嵌合式の結合が可能である。
【００２０】
基本的に、搬送部材のガイドは、ガイド通路部分の壁側において、第１及び第２のすべり面要素のための対向しつつ離間した２つの支持範囲が配置されるように構成されている。対向する壁部には、同様に、第３及び第４のすべり面要素のための配置されつつ離間した２つの支持範囲が存在している。それぞれこのような各支持範囲に隣接して第５及び第６の、並びに第７及び第８のすべり面要素のための他の支持範囲が配置されており、そのすべり面は、それぞれ直接隣接するすべり面要素に対して直角に配置されている。この構造及び基礎となる転がり動作のより良好な理解のために特許文献２が参照される。このとき、この文献は、本明細書の統合された構成部分を形成するものである。
【００２１】
しかし、この構造においては、搬送部材の各ガイドローラが両側において平行に延在する２つのガイドレール要素によって必ずガイドされなければならないというわけではない。したがって、時計回りにおいてそれぞれ対で延在する８つのあり得るガイドレール要素が設けられる場合には、第１、第３、第５及び第７の街路レール要素のみが、搬送部材のガイドローラがこれら４つのすべり面要素を介してガイドされるように、ガイド機能を発揮するすべり面要素に備え付けられることが可能である。直接対向するすべり面要素については、ガイドローラが遊びを有している。このような構成においては、ガイド機能を発揮するすべり面要素に対するガイドローラの統合的な自己押圧作用が達成される。これについては、特許文献８、図１４が参照される。
【００２２】
ガイド通路部分に属するすべり面要素の長さは、少なくともその端部を越えて延在しており、したがって、すべり面要素は、開度通路部分に対して過剰長さを備えている。この過剰長さは、少なくとも部分的に、連結されたフランジ部の内部におけるすべり面の連続した延長部を形成している。そのため、ガイド通路部分とフランジ部の間の分離面の範囲にすべり面要素によってあらかじめ設定された転がり表面の中断部が生じない。この予防措置は、必要に応じてガイド通路部分の両端部に設定され得る。
【００２３】
好ましくは、ガイド通路部分の長さに対するすべり面要素の上述の過剰長さは、少なくとも連結されたフランジ部の内部において中間の当接箇所を形成する区間に相当する。これにより、ガイド通路部分とフランジ部の間の分離面を越えて突出するガイド面要素の過剰長さがフランジ部の軸方向幅全体を包含せず、当接箇所によって位置安定的な位置が得られることが達成される。
【００２４】
フランジ部における当接箇所へ向けられた、ガイド通路部分に対するすべり面要素の過剰長さは更に長さ過剰部を備えており、この長さ過剰部は、通路部分の取付後に、動作中において搬送部材のローラに対する追加的なポジティブで安定したすべり面要素の作用を発揮するものである。
【００２５】
したがって、フランジ部がそれぞれ通路部分として形成されたガイド通路部分に嵌合式に連結されていれば、組み入れられた状態において、上記のような長さ過剰部によって転がり方向でのすべり面要素への圧力が生じ、この圧力により、すべり面要素の各長さの範囲内における均等なわずかな突出部が形成される。これにより、動作中におけるその摩耗又はゆるみが食い止められるか、あるいはこれに対抗され得る。すなわち、すべり面要素間で案内されるガイドローラは、常にきつく、かつ、柔軟なガイドを有している。これにより、これらガイドローラは、振動及び騒音なく転がることが可能である。
【００２６】
同様に当接箇所を備えたフランジ部がガイド通路部分の反対側に設けられれば、この突出部のサイズが最終的に生じる。このような構成においては、ガイド通路部分の全長及び連結されたフランジ部の分離面を超えてその当接箇所まで途切れることなく形成されたすべり面要素の転がり表面が生じる。
【００２７】
したがって、フランジ部の内部の当接箇所によって操作されると、フランジ部の端部まで、本発明により少なくとも１つのアダプタ要素によって橋渡しされた橋渡し区間が生じる。このとき、このアダプタ要素によって、すべり面要素の連続的かつ平面状の延長部が転がり方向へ、かつ、隣接する両フランジ部の分離面を越えて確保されることが保証される。
【００２８】
隣接したフランジ部がそれぞれ１つの当接箇所を備えていれば、それぞれ使用されるアダプタ要素は、これらアダプタ要素がすべり面要素の連続的かつ平面状の延長部が当接箇所から隣接するフランジ部の分離面まで確保されるのみならず、さらに転がり表面の平面上の延長部もこの分離面のそれぞれの側で連結されたフランジ部の当接箇所まで確保されるように形成される必要がある。
【００２９】
これについての手段は、アダプタ要素を移行区間を越えて延在させるとともに、このアダプタ要素に隣接する２つのフランジ部の分離面の範囲において、逆向きの転がり方向への面取り部を設けることにある。このような面取り部は、フランジ部における各当接箇所の範囲でのすべり面要素のためにも設けられることが可能である。
【００３０】
このとき、鏡像状に互いに対向したアダプタ要素が隣接するフランジ部の分離面の範囲においてすべり面要素の延長方向に対して直角な面取り部を備えることができるだけではなく、これら面取り部は、相補的に曲げられたアダプタ要素においても斜めに延在するように形成されることが可能である。このような構成においては、曲げられたアダプタ要素の角度先端部が交互に連結されたフランジ部の移行区間へ達する。
【００３１】
アダプタ要素は互いに作用結合された２つの移行部材によって構成されることも可能であり、これら移行部材は、隣接するフランジ部の移行区間を滑り方向へ平行に包含するものである。このとき、この移行部材の全幅は、各当接箇所において当接するすべり面要素の幅にほぼ相当する。移行区間内の各移行部材は少なくとも１つの端部側の面取り部を備えており、移行部材のこの面取り部は、隣接する移行部材の面取り部に対して左右逆かつ、逆向きに配置されている。
【００３２】
それぞれ少なくとも嵌合式にフランジ部に取り付けられたこのような二部分から成る移行部材は、分離面を越えて隣接するフランジ部の当接箇所まで延長されることができ、これにより、両フランジ部の移行区間が、連結されたすべり面要素に対して連続的で平面状のすべり表面を備えることになる。
【００３３】
すべり面要素の連続的で平面状の延長部をガイド通路要素及びフランジ部の範囲において以下のように構成することも可能である：
【００３４】
すべり面要素の過剰長さがまずはガイド通路部分の長さから始まり、隣接するフランジ部のうちの少なくとも１つの幅あるいは厚さが包含される。ここで、隣接する両フランジ部を同時に包含する過剰長さを設定することも可能であり、このような場合には、すべり面要素の端面側が２つの通路部分の分離面の範囲において少なくとも１つの面取り部を備えている。
【００３５】
ここでも、互いに当接する個々のすべり面要素がガイド通路部分の長さあるいはフランジの幅又はフランジ部に基づき、厳密に必要なサイズに対するある程度の過剰部を備えることも可能である。これにより、この過剰部に基づき、組み入れられた状態において、すべり面要素への当接力が生じる。この当接力は均等にわずかな突出部を生じさせ、これにより、動作中におけるその摩耗又はゆるみが食い止められる。すなわち、２つのすべり面要素の間で案内されるガイドローラが、常にきつく、かつ、柔軟なガイドを備えている。
【００３６】
及び／又はすべり面要素が一方では正確にガイド通路部分の長さに採寸され、他方ではフランジ部の幅に正確に採寸されている。したがって、組み立てられた状態において搬送装置の通路部分を形成する個々の要素は、一方ではガイド通路部分に関して、他方ではフランジ部の幅に関して個別に長さを短くされたすべり面要素を備えている。個々の分離面の範囲における転がり表面の連続した平面状の延長部は、適当な面取り部をそこに設けることで形成される。
【００３７】
ここでも、互いに当接する個々のすべり面要素がガイド通路部分の長さあるいはフランジの幅又はフランジ部に基づき、厳密に必要なサイズに対するある程度の過剰部を備えることも可能である。これにより、この過剰部に基づき、組み入れられた状態において、すべり面要素への当接力が生じる。この当接力は均等にわずかな突出部を生じさせ、これにより、動作中におけるその摩耗又はゆるみが食い止められる。すなわち、２つのすべり面要素の間で案内されるガイドローラが、常にきつく、かつ、柔軟なガイドを介して転がることが可能である。
【００３８】
個々の要素の実効性のある搬送装置に対する組立は、ガイド通路部分に対して当接するフランジ部がすべり面要素の延長方向に関して、すべり面要素の当接箇所あるいはガイド通路部分とフランジの間の分離面において連続的で平面状の移行関係がすべり面要素によって形成される転がり表面に関して支配的であるように心合わせされていることが前提となっている。
【００３９】
このような搬送装置は好ましくは搬送部材との関連で動作することができ、この搬送部材は、本質的に互いに連結された機能ユニットの数で構成されている。１つの機能ユニットは搬送区間に沿ってシーケンシャルに配置された少なくとも２つのチェーンリンクで構成されており、これらチェーンリンクは、互いに強固で、及び／又はしなやかな結合を形成するものである。機能ユニット自体は第１のチェーンリンク及び第２のチェーンリンクで構成されており、これらチェーンリンクは、機能的に互いに異なるとともに、互いに作用連結されている。搬送部材の形成のためのそのシーケンスにおける機能ユニットは、一致若しくはほぼ一致するか、又はその機能性に類似して若しくは基づいて異なるように構成されている。このとき、機能ユニットは、互いに複数の手段、又は取外し可能若しくは嵌合によって制限された取外し可能な、及び／若しくは取外し不能な結合部のための結合要素を備えている。このような搬送装置の動作に関しても、すでに上述した特許文献２が参照される。
【００４０】
以下に、本発明が、本発明に本質的で、明細書には詳細に強調されていない全ての詳細に関して明確に引き合いに出されている図面を参照しつつ説明される。本発明の直接の理解に本質的でない全ての要素は、取り除かれている。同一の要素には、異なる図面においても同一の符号が付されている。
【図面の簡単な説明】
【００４１】
【図１】複数のガイド通路部分で構成された搬送装置を示す図である。
【図２】組み立てられた状態における図１に基づく搬送装置を示す図である。
【図３】一方側ではガイド通路部分に対する結合要素、他方側では他のフランジに対する結合要素としてのフランジ部を示す図である。
【図４】図３に基づくフランジ部の正面図である。
【図５】ガイド通路部分の断面図である。
【図６】アダプタ要素を含んだフランジ部を備えたガイド通路部分の組立を示す図である。
【図７】対応するフランジを有する２つのガイド通路部分の組立を示す図である。
【図８】図６及び図７から生じる移行部材の三次元的な図示である。
【発明を実施するための形態】
【００４２】
図１に示された搬送装置１００は、本質的に直線状の、搬送区間に沿って延在するガイド通路部分２００と、この部分の連結を担う、全体に符号３００で示された結合要素とを含んでいる。しかし、ここに示された直線性は、搬送装置全体にわたって絶対的なものとは理解されるべきではない。平面内において、又は空間内で延在するカーブ状の通路が直線状の区間に容易に連結することが可能である。基本的には、ツイストされた搬送部分も存在し得る。ガイド通路部分２００は個々のトンネル状の部分を形成しており、この部分の端面側は、この端面側で互いに連結された複数の結合要素３００を備えている。ここで、これら結合要素は、フランジ部３１０，３２０（図２、図３参照）として形成されている。好ましくは、ここでは、取外し可能な嵌合式の結合部３３０を備えており、この結合部は、すべり面要素（図６及び図７参照）の転がり面に対して最適な柔軟性を提供するものである。
【００４３】
図２には、それぞれ端面側で当接された両フランジ部３１０，３２０を含む、接合された２つのガイド通路部分２００の長手方向が図示されている。隣接する両フランジ部３１０，３２０の嵌合式の結合は、端面側の螺着部３３０によってなされる。なお、この螺着部については後述する。
【００４４】
ガイド通路部分２００の互いに対向する端面に取り付けられたフランジ部３１０，３２０は鏡面対称の凸状あるいは凹状の要素を備えており、これら要素は、係合式に互いに係合している。このような結合要素は、図３に詳細に示されている。両フランジ部間の結合は、横方向の螺着部によってなされ、より良い理解のために、特許文献８の図６及び図７が参照される。
【００４５】
図３にはフランジ部３１０の形態の結合要素が三次元的な図示において示されている。この図３からは、接触面に形成された凸部３１１が接続されたフランジの対向する接触面において設けられた凹部３１４に係合する。凸部３１１は三次元的な垂直方向のガイド部を備えており、このガイド部は、水平方向へ突出した突出部によって拡張されている。さらに、フランジ部３１０の横梁面は２つの心合わせ手段３１２及び３１３を備えており、これら心合わせ手段は、上述と同様に、これら心合わせ手段がガイド機能及び心合わせ機能を発揮するようになっている。
【００４６】
凸部３１１，３１３も、また凹部３１２，３１４も、三次元的に鏡面対称に形成されており、これらは、全ての側で先細状の輪郭を備えている。これにより、組付が容易となるとともに、これにより同時に最適な心合わせ作用が達成される。すでに上述して用に、各フランジ部３１０又は３２０は、螺着部３１５によってそれぞれガイド通路部分２００に結合される。そして、このことは、好ましくは軸方向の位置決めのためのそこでの当接面に接しない複数の皿ボルトによってなされる。
【００４７】
図４には、図３に基づくフランジ部３１０の前側の部分が示されている。トンネル状の通路に対して内側に形成された開口部３５０，３７０，３８０は、本質的にガイド通路部分２００の通路に適した形成に適合している。そのため、フランジの以下の説明は、ガイド通路部分２００にも十分関連されることが可能である。
【００４８】
したがって、ガイド通路部分２００に関して、本発明による搬送装置１００は、中央のガイド通路３７０、上側の駆動通路３５０及び下側のスリット状の開口部３８０を備えている。この開口部によって、印刷製品のための搬送要素が外方へ案内するための空間が生じる。
【００４９】
図４によれば、フランジ３１０，３２０の内部で、中央部ガイド通路３７０の範囲には複数のガイドレール要素が取り付けられており、これらガイドレール要素は、まとめて符号４００で示唆されており、個々のガイド通路部分２００及び使用されるフランジ部に沿って延在しているとともに、すべりレール要素及びアダプタ要素の収容の用に供されるものである。これらすべりレール要素及びアダプタ要素は、フランジ部３１０のすべり面とこれに連結するガイド通路部分２００の間の連続した平面状の移行部を保障するものである（これについて図５参照）。このことは、図６及び図７から分かるように、アダプタ要素が逆方向へ取り扱われるか、あるいは搬送方向において斜めの転がり面部分を備えていることで行われる。
【００５０】
図５には、搬送装置１００のガイド通路部分２００の断面が示されている。ここで、このような断面は単なる一例であること、及び場合によってはあり得る外側の幾何形状及び内側の実行に関する変更を設定することができ、このような変更は搬送装置１００の基本構成に関係しないことを強調しておく。
【００５１】
図５から分かるように、ガイド通路３７０は本質的に正方形の断面を備えており、このガイド通路３７０の各角部には対に形成された４つの支持部範囲４００が存在している。これら支持部範囲は、ガイドレール要素４０２〜４０９によって形成されているとともに、すべり面要素の収容部を担うものである。これについては、特許文献２の図１４、図１５が参照される。
【００５２】
支持部範囲４００あるいはガイドレール要素４０２〜４０９は本質的に搬送区間に沿って延在するＴ字断面の形状を備えており、その結果、すべり面部材（図６及び図７参照）のレール状の形状により容易に押し込むことが可能である。このとき、好ましくは緩やかな嵌合式の結合が生じる許容値が設定され、その結果、その必要な押込み力を容易に手で得ることが可能である。
【００５３】
図６には、フランジ部３１０を有するガイド通路部分２００の組立が示されている。ここでは、両要素の分離面２００／３１０が見て取れ、両要素の螺着は、図示の孔３１５を介してなされる。フランジ部３１０は、ガイド通路部分２００に沿ったガイドレール要素４０２〜４０９の幾何学的な延長部を形成する個々のガイドレール要素４０２’〜４０９’に対してそれぞれ１つのサポート部４１０を備えており、このサポート部は、フランジ部３１０の組付方向３１７へ移行部材６１０として形成されたアダプタ要素を押し込むことができるようになっている。図６において明らかなすべり面要素５１０は、ガイド通路部分２００の内部に取り付けられたすべり面要素の延長部を形成している。
【００５４】
ガイド通路部分２００の端部を越えて突出したすべり面要素５１０の長さは、少なくとも、ガイド通路部分に連結されたフランジ部３１０の内部における各当接箇所４１１まで延在する区間に相当する。これにより、ガイド通路部分２００とフランジ部３１０の間の分離面２００／３１０を超えて形成されたすべり面要素５１０の移行区間が転がり面に沿ってフランジ部３１０の全幅を包含しないことが達成される。サポート部４００によって規定された当接箇所４１１により、組み入れられたすべり面要素５１０が長さにおいて正確に規定できること、及び、これにより、滑り面要素が慎重な配慮を要する分離面２００／３１０を超えて連続して案内されるため、転がり面の完璧な平面状の移行部が得られることが達成される。当然、ガイド通路部分２００の両側において、それぞれ１つのすべり面要素の過剰長さを使用することも可能である。これにより、連結された両フランジ部が、全ての分離面の範囲におけるガイド通路部分に対して、転がり面の完璧な平面状の移行部を形成する。
【００５５】
すべり面要素のこの過剰長さは、追加的に過大長さを有することが可能であり、組み入れられた状態において、すなわちフランジ部が通路部分へのガイド通路部分２００に嵌合式に連結されている場合に、すべり面要素への圧力がすべり方向３１７へ生じ、この圧力は、通路部分全体に沿ったすべり面要素５１０の軸方向への容易で均等な突起部に通じるものである。これにより、すべり面要素の動作中の摩耗又はゆるみを食い止めることが可能である。すなわち、２つのすべり面要素間で案内されるガイドローラは、常に密着し、かつ、弾性的なガイド部を介して転がることが可能である。
【００５６】
フランジ部３１０の内部における当接箇所を使用する場合には、図６においてすでに上述したサポート部４１０によって形成された移行区間がフランジ部の端部まで生じる。この移行区間は基本的にアダプタ要素によって橋渡しされており、このアダプタ要素は、すべり面要素の連続的な平面状の延長部がフランジ部の更なる延長方向において保証されることが確保される必要がある。したがって、隣接するフランジ部がそれぞれ当接箇所を備えていれば、各アダプタ要素は、これらが当接箇所から密接するフランジ部の各分離箇所まで連続的な平面状の延長部が保証されるのみならず、まさに両フランジ部の分離箇所の範囲において、転がり表面の連続した平面状の延長部が保証され得るように形成される必要がある。
【００５７】
図７から分かるように、アダプタ要素が互いに作用連結された２つの移行部材６１０，６２０から成り、これら移行部材は、複数のアダプタ要素を支持する、近傍に配置されたサポート部４１０，４２０に関して両フランジ部３１０，３２０の分離面を越えて延在するよう、両フランジ部３１０，３２０の移行区間を包含している。これにより、両フランジ部の移行区間が統一的に移行部材として形成された２つのアダプタ要素６１０，６２０によって克服され、要素４１０（サポート部），５１０（すべり面要素）、６１０（アダプタ要素）がフランジ部３１０に所属する一方、要素４２０（サポート部）、５２０（すべり面要素）、６２０（アダプタ要素）がフランジ部３２０に所属する。
【００５８】
並列されたアダプタ要素６１０，６２０は、すべり方向において逆方向で左右逆の面取り部を備えている。アダプタ要素６２０に関して、このアダプタ要素は、すべり面要素５２０のサポート部４２０との当接箇所４１１において、このすべり面要素の転がり表面に対して、平面状の転がり表面６２１を備えている。丸められた短い領域６２２が形成され、この領域は、緩やかに形成された傾斜部６２３を超え、場合によってはあり得る高さの差をここで連結されるフランジ部３１０のすべり面要素５１０の平面状の転がり表面に対して吸収することが可能である。
【００５９】
アダプタ要素６１０もこのような面取り部を備えているが、この面取り部は、逆方向に形成されている。これにより、相補的なすべり面要素５１０，５２０の転がり表面が少なくともこれらの幅の半分まで最大化されて、平面状に各アダプタ要素６１０，６２０の転がり表面６１１，６２１へ移行することが達成される。このような面取り部は、軽く湾曲された搬送部材のローラ（特許文献８、図１４及び図１５参照）が長手方向へ延在する両アダプタ要素６１０，６２０の分離線の範囲の中央で転動することが可能であり、これによりこの範囲において、接合された個々の要素の分離面及び当接箇所にわたって搬送部材のソフトな転がり特性を期待することができるという利点もある。
【００６０】
図８から移行部材６１０あるいは６２０の幾何形状的な形成が明らかであり、この移行部材は、図６及び図７に基づき、サポート部４１０及び４２０に実効的に作用連結されている。移行部材６１０あるいは６２０の幾何形状的な輪郭はサポート部の鏡面対称な内側輪郭へ挿入あるいは押込み可能であるよう形成されており、両輪郭の許容公差は、位置が安定した嵌合式の結合が実現されるように設定されている。さらに、移行部材６１０あるいは６２０の安定した位置が、組み入れられた状態において、すべり面要素５１０あるいは５２０の端部によって軸方向の挟入がなされることでサポートされる（図７参照）。図８による輪郭の描写においては、位置的に移行部材６１０に合わせられている。同様のことは、鏡面対称の移行部材６２０についても当てはまる。
【００６１】
移行部材は本質的にＴ字状の断面形状６１４を描写しており、このＴ字状の断面形状は、軸方向Ｘにおいて、一方の側６１５で滑らかで本質的にＴ字状の断面形状の上側のプレートに対して直角に延在するウェブを備えている一方、反対側の面においては、このウェブが、垂直方向において内方へ向いた中間の階段状の段部６１６を備えている。この段部は、移行部材全体に沿って軸方向Ｘに沿って延在している。この段部によって形成された表面は、プレート厚み部６１７の下側の表面６１９に対して平行にＸ方向へ延在することができるか、又はこの表面６１９に対してそれぞれ適宜の正又は負の勾配を占めることができる。このとき、サポート部におけるカウンタ輪郭形状は、対応した断面を有する必要がある。サポート部のカウンタ輪郭における移行部材のガイドは、三次元的にみて少なくともウェブ幅部６１４によって、段部６１６の包含の下で保証され、他方、段部６１６によって遊びなしにサポート部表面に作用連結しているＴ字状の断面のプレート厚み部６１７によって保証される。
【００６２】
前側エッジ部６１８は、サポート部の内部に設けられた当接箇所に対する当接エッジ部を形成しており、これにより、移行部材の両端部が、Ｘ方向において、すべり面要素の隣接する端部に対して一義的な位置決めを有することとなる。移行部材の表面６１１，６１２，６１３の延長方向は、図７においてすでに上述した。
【００６３】
ここで示した図８に基づく移行部材の輪郭は好ましい変形例と理解すべきであり、他の好ましい断面形成も容易に可能である。
【００６４】
本発明の構成要素は、一部材のアダプタ要素においても容易にこのような輪郭あるいは断面形成を備えることが可能である。
【符号の説明】
【００６５】
１００            搬送装置
２００            ガイド通路部分
３００            結合要素
３１０            フランジ部
３１１            凸部
３１２            心合わせ手段
３１３            心合わせ手段
３１４            凹部
３１５            螺着部
３２０            フランジ部
３３０            結合部
３５０            駆動通路
３７０            ガイド通路
３８０            開口部
４００            支持部範囲
４０２〜４０９    ガイドレール要素
４１０            サポート部
４１１            当接箇所
５１０            すべり面要素
６１０            アダプタ要素
６２０            アダプタ要素
６２２            転がり表面
【図１】
2014234313.tif 000003
【図２】
2014234313.tif 000004
【図３】
2014234313.tif 000005
【図４】
2014234313.tif 000006
【図５】
2014234313.tif 000007
【図６】
2014234313.tif 000008
【図７】
2014234313.tif 000009
【図８】
2014234313.tif 000010